(57)【要約】      （修正有）【課題】大電流伝達の適用環境により良好に適したコネクタを提供する。【解決手段】筐体及び舌状部を備える絶縁体１と、複数の導電端子２であって、各導電端子２が、舌状部上に露出される嵌合部分、筐体から外方へ延在するはんだ付け部分、及び接続部分を備え、導電端子２が、上部列導電端子及び下部列導電端子に分割され、各列導電端子が、少なくとも２つの接地端子及び少なくとも２つの電力端子を備える、複数の導電端子２と、絶縁体１の中に埋設され、舌状部の両側に部分的に露出され、各々が筐体から外方へ延在する接地はんだ付け脚部を有する２つの接地ラッチ３と、絶縁体上に固定され、舌状部の外周を包囲して嵌合空洞を形成する金属シェル４とを備えるレセプタクルコネクタ１０。【選択図】図１
2018026345.tif 000002
【特許請求の範囲】
【請求項１】
レセプタクルコネクタであって、
筐体、及び該筐体から前方へ延在する舌状部を備える絶縁体と、
複数の導電端子であって、各導電端子が、前記舌状部上に露出される嵌合部分、前記筐体から外方へ延在するはんだ付け部分、及び前記嵌合部分と前記はんだ付け部分との間に位置付けられる接続部分を備え、前記導電端子が、上部列導電端子及び下部列導電端子に分割され、各列導電端子が、少なくとも２つの接地端子及び少なくとも２つの電力端子を備える、複数の導電端子と、
前記絶縁体の中に埋設され、前記舌状部の両側に部分的に露出され、前記筐体から外方へ延在する接地はんだ付け脚部を有する少なくとも１つの接地ラッチと、
前記絶縁体上に固定され、前記舌状部の外周を包囲して嵌合空洞を形成する金属シェルと、を備え、
前記少なくとも１つの接地ラッチが、前記上部列導電端子の接地端子と前記下部列導電端子の接地端子との間に間置され、かつ上下に積層され、互いに接触する、レセプタクルコネクタ。
【請求項２】
前記上部列導電端子及び下部列導電端子が、各々、前記舌状部の両側の各々に電力端子及び接地端子群を形成するように、前記舌状部の両側にそれぞれ位置付けられる２つの接地端子と、該２つの接地端子にそれぞれ隣接する２つの電力端子とを備える、請求項１に記載のレセプタクルコネクタ。
【請求項３】
前記接地端子及び電力端子の接続部分及びはんだ付け部分が、各々、それらの前記嵌合部分に対して広げられた幅を有する、請求項２に記載のレセプタクルコネクタ。
【請求項４】
前記上部列導電端子及び下部列導電端子が、各々、前記舌状部の少なくとも片側において前記電力端子及び接地端子群の間に間置される補助電力端子を更に備える、請求項２に記載のレセプタクルコネクタ。
【請求項５】
前記補助電力端子の接続部分及びはんだ付け部分が、各々、前記補助電力端子の嵌合部分に対して広げられた幅を有する、請求項４に記載のレセプタクルコネクタ。
【請求項６】
前記上部列導電端子及び下部列導電端子が、各々、それらの前記２つの電力端子及び接地端子群の間に複数の信号端子を備える、請求項２〜５のいずれか１項に記載のレセプタクルコネクタ。
【請求項７】
前記レセプタクルコネクタが、独立し、かつ前記絶縁体の両側にそれぞれ位置付けられる２つの接地ラッチを備え、各接地ラッチが、前記舌状部の片側に露出されるラッチ部分と、前記筐体から外方に延在する接地はんだ付け脚部と、前記ラッチ部分と接地はんだ付け脚部との間に接続される接続部分とを有する、請求項２〜５のいずれか１項に記載のレセプタクルコネクタ。
【請求項８】
前記接地ラッチの厚さと、該接地ラッチの上部側及び下部側における前記２つの接地端子の２つの厚さとの合計が、前記舌状部の厚さに等しい、請求項７に記載のレセプタクルコネクタ。
【請求項９】
互いに協働するレセプタクルコネクタ及びプラグコネクタを備える電気コネクタアセンブリであって、前記レセプタクルコネクタが、請求項１〜８のいずれか１項に記載のレセプタクルコネクタである、電気コネクタアセンブリ。
【請求項１０】
前記プラグコネクタが、前記レセプタクルコネクタの上部列導電端子及び下部列導電端子にそれぞれ対応する、上部列導電端子と、下部列導電端子とを備え、前記プラグコネクタの上部列導電端子及び下部列導電端子が、各々、前記舌状部の両側に位置付けられる２つの接地端子と、前記２つの接地端子に隣接する２つの電力端子と、前記舌状部の少なくとも片側に位置付けられる前記電力端子と接地端子との間に間置される補助電力端子とを備える、請求項９に記載の電気コネクタアセンブリ。
【発明の詳細な説明】
【技術分野】
【０００１】
本開示は、電気コネクタアセンブリに関し、具体的には、大電流伝達用途に適した電気コネクタアセンブリに関する。
【背景技術】
【０００２】
ポータブル電子デバイス（モバイル電話など）の機能がますます強力になるにつれて、ポータブル電子デバイスのエネルギー消費問題が一段と顕著になってきており、高速充電技術が人々によってますます追及される。中国特許出願第ＣＮ２０１５２０６１９８９９．５号は、一体式ＵＳＢタイプＣレセプタクルコネクタを開示しており、これは、シェルと、挿入アセンブリとを備え、シェルが挿入アセンブリの外側を覆い、挿入アセンブリが絶縁体と、金属遮蔽シートと、上部列導電端子と、下部列導電端子とを備える。金属遮蔽シート、上部列導電端子及び下部列導電端子、並びに絶縁体は、インサート成形によって一体的に形成される。上部列導電端子及び下部列導電端子は、各々が、２つの接地端子と、２つの電力端子と、３つのデータ端子とを備える。各導電性端子は、嵌合部分と、接続部分と、はんだ付け部分とを備える。各接地端子の嵌合部分は、接地基部と、接地基部から突出する接地部分とを備える。各接地端子のはんだ付け部分は、接続部分から後方へ延在するＳＭＴ部分と、接続部分から下方へ延在するＤＩＰ部分とを備える。金属遮蔽シートの中間部分は、上方へ突出して、接地端子の役割を果たし、そのようなコネクタ構造は、高速充電を実現するための大電流伝達にある程度は対応することができる。しかしながら、そのようなコネクタ構造は、接地端子構成を形成するために、金属遮蔽シートの中間部分を上方へスタンプする必要があり、したがって、製造がより困難になり、大電流の通電の効果において理想的でなく、加えて、そのようなコネクタ構造は、２対の電力端子及び２対の接地端子を使用して大電流伝達を実現するＵＳＢタイプＣ仕様に限定され、したがって、依然として耐久性がありかつ安定した大電流伝達を必要とするいくつかの適用環境に対して更なる改善が行われる。
【発明の概要】
【課題を解決するための手段】
【０００３】
本開示によって解決される技術的問題は、上記の従来技術に存在する欠点を克服することであり、耐久性がありかつ安定した大電流伝達を必要とする適用環境により良好に適し得る電気コネクタアセンブリを提供する。
【０００４】
上記の技術的問題を考慮して、本開示は、筐体、及び筐体から前方へ延在する舌状部を備える絶縁体と、複数の導電端子であって、各導電端子が、舌状部上に露出される嵌合部分、筐体から外方へ延在するはんだ付け部分、及び嵌合部分とはんだ付け部分との間に位置付けられる接続部分を備え、導電端子が、上部列導電端子及び下部列導電端子に分割され、各列導電端子が、少なくとも２つの接地端子及び少なくとも２つの電力端子とを備える、複数の導電端子と、絶縁体の中に埋設され、舌状部の両側に部分的に露出され、筐体から外方へ延在する接地はんだ付け脚部を有する少なくとも１つの接地ラッチと、絶縁体に固定され、舌状部の外周を包囲して嵌合空洞を形成する金属シェルとを備える、レセプタクルコネクタを提供する。少なくとも１つの接地ラッチは、上部列導電端子の接地端子と下部列導電端子の接地端子との間に間置され、かつ上下に積層され、互いに接触する。
【０００５】
いくつかの実施形態において、上部列導電端子及び下部列導電端子は、各々が、舌状部の両側の各々に電力端子及び接地端子群を形成するように、舌状部の両側にそれぞれ位置付けられる２つの接地端子と、２つの接地端子にそれぞれ隣接する２つの電力端子とを備える。
【０００６】
いくつかの実施形態において、接地端子及び電力端子の接続部分及びはんだ付け部分は、各々が、それらの嵌合部分に対して広げられた幅を有する。
【０００７】
いくつかの実施形態において、上部列導電端子及び下部列導電端子は、各々が、舌状部の少なくとも片側において電力端子と接地端子群との間に間置される補助電力端子を更に備える。
【０００８】
いくつかの実施形態において、補助電力端子の接続部分及びはんだ付け部分は、各々が、補助電力端子の嵌合部分に対して広げられた幅を有する。
【０００９】
いくつかの実施形態において、上部列導電端子及び下部列導電端子は、各々が、それらの２つの電力端子と接地端子群との間に複数の信号端子を備える。
【００１０】
いくつかの実施形態において、レセプタクルコネクタは、独立し、かつ絶縁体の両側にそれぞれ位置付けられる２つの接地ラッチを備え、各接地ラッチが、舌状部の片側に露出されるラッチ部分と、筐体から外方に延在する接地はんだ付け脚部と、ラッチ部分と接地はんだ付け脚部との間に接続される接続部分とを有する。
【００１１】
いくつかの実施形態において、接地ラッチの厚さと、接地ラッチの上部側及び下部側における２つの接地端子の２つの厚さとの合計は、舌状部の厚さに等しい。
【００１２】
上記の技術的問題を考慮して、本開示は、互いに協働するレセプタクルコネクタ及びプラグコネクタを備える電気コネクタアセンブリを提供し、前記レセプタクルコネクタは、上記のレセプタクルコネクタである。
【００１３】
いくつかの実施形態において、プラグコネクタは、レセプタクルコネクタの上部列導電端子及び下部列導電端子にそれぞれ対応する、上部列導電端子と、下部列導電端子とを備え、プラグコネクタの上部列導電端子及び下部列導電端子が、各々、舌状部の両側に位置付けられる２つの接地端子と、２つの接地端子に隣接する２つの電力端子と、舌状部の少なくとも片側に位置付けられる電力端子と接地端子との間に間置される補助電力端子とを備える。
【００１４】
従来技術と比較すると、上部列の接地端子及び下部列の接地端子、並びに中間の接地ラッチは、本発明のレセプタクルコネクタにおいて、上下に積層され、互いに接触し、これは、舌状部の制限された厚さに対する導電端子の厚さを最大に増加させることができ、接地回路の大電流通電能力を有益に促進するためにより小さいインピーダンスを得ることができ、動作温度の上昇を低減させることができ、また耐久性がありかつ安定した大電流伝達の適用環境により良好に適し得る。
【図面の簡単な説明】
【００１５】
【図１】本開示の電気コネクタアセンブリの一実施形態の斜視図である。
【図２】本開示のレセプタクルコネクタの一実施形態の別の角度からの斜視図である。
【図３】本開示のレセプタクルコネクタの実施形態の正面図である。
【図４】図３の線Ａ−Ａに沿って切断した断面図である。
【図５】本開示のレセプタクルコネクタの実施形態の分解斜視図である。
【図６】図５に基づく更なる分解斜視図である。
【図７】図６の別の角度からの分解斜視図である。
【図８】図６に基づく更なる分解斜視図である。
【図９】本開示のプラグコネクタの一実施形態の別の角度からの斜視図である。
【図１０】本開示のプラグコネクタの実施形態の正面図である。
【図１１】図１０の線Ｂ−Ｂに沿って切断した断面図である。
【図１２】本開示のプラグコネクタの実施形態の分解斜視図である。
【図１３】図１２に基づく更なる分解斜視図である。
【符号の説明】
【００１６】
符号は、以下のように表されている。
【００１７】
１０    レセプタクルコネクタ
１    絶縁体
２    導電端子
３    接地ラッチ
４    金属シェル
１１    筐体
１２    舌状部
２１    上部列導電端子
２２    下部列導電端子
２６    嵌合部分
２７    接続部分
２８    はんだ付け部分
Ａ１〜Ａ１２    上部列導電端子
Ｂ１〜Ｂ１２    下部列導電端子
３６    ラッチ部分
３７    接続部分
３８    接地はんだ付け脚部
４９    嵌合空洞
２０    プラグコネクタ
５    プラスチック本体
６    導電端子
７    プラスチック部材アセンブリ
８    遮蔽シート
９    外側シェル
５９    受容空洞
６１    上部列導電端子
６２    下部列導電端子
６６    嵌合部分
６７    接続部分
６８    はんだ付け部分
７１    上部プラスチック部材
７２    下部プラスチック部材
８１    基部プレート
８２    ラッチングフック
８３    接地はんだ付け脚部
９９    挿入空洞
Ａ３ａ、Ｂ３ａ    補助電力端子
【発明を実施するための形態】
【００１８】
本開示は、異なる形態の実施形態が可能であり、具体的な実施形態が図面で示され、また本明細書で詳細に説明されているが、本開示は、本開示の原理の例証であるとみなされ、本開示を例示されたものに限定することを意図しないという理解の下で行われる。
【００１９】
よって、特徴又は態様への言及は、本開示の実施例の特徴及び態様を説明することを意図するものであり、本開示の全ての実施形態が、説明される特徴又は態様を有しなければならないことを含意することを意図するものではない。更に、記載はいくつかの特徴を例示していることに留意するべきである。特定の特徴を組み合わせて潜在的なシステム設計が例示されている一方で、それらの特徴は、明示的に開示されていない他の組み合わせにおいても使用することができる。したがって、描かれている組み合わせは、特に指示がない限り、限定的であることを意図しない。
【００２０】
図面に例示されている実施形態において、本開示の様々な要素の構造及び移動を説明するために使用される上下左右、前後等の方向の表示は、絶対的ではなく、相対的である。これらの表示は、要素が図面に示されている位置にあるとき、適切である。しかしながら、要素の位置の説明が変化する場合、これらの表示はそれに応じて変更されることになる。
【００２１】
以下、本開示の実施形態が、図面と組み合わせて更に詳細に説明される。
【００２２】
図１を参照すると、本開示は、互いに協働するレセプタクルコネクタ１０と、プラグコネクタ２０とを備える、大電流伝達（８〜１０Ａ）用途のＵＳＢタイプＣコネクタアセンブリを提供する。
【００２３】
図２〜図８を参照すると、レセプタクルコネクタ１０は、絶縁体１と、絶縁体１の中に埋設される複数の導電端子２と、絶縁体１の両側の中に埋設される２つの接地ラッチ３と、絶縁体１上に固定される金属シェル４とを備える。
【００２４】
絶縁体１及び導電端子２及び２つの接地ラッチ３は、インサート成形プロセスによってともに係合される。絶縁体１は、筐体１１と、筐体１１から前方へ延在する舌状部１２とを備える。
【００２５】
導電端子２は、金属シートをスタンプし、曲げることによって一体的に形成される。各導電端子２は、舌状部１２上に露出される嵌合部分２６と、筐体１１から後方へ延在するはんだ付け部分２８と、嵌合部分２６とはんだ付け部分２８との間に接続される接続部分２７とを備える。導電端子２は、上部列導電端子２１及び下部列導電端子２２に分割される。本実施形態において、レセプタクルコネクタ１０を前方から後方へ見たときに、導電端子２は、以下の表のように配設される。
【００２６】
【表１】
2018026345.tif 000003
【００２７】
表から分かるように、導電端子２には、２対の接地端子Ａ１、Ａ１２、Ｂ１、Ｂ１２及び３対の電力端子Ａ３、Ａ４、Ａ９、Ｂ３、Ｂ４、Ｂ９があり、ＵＳＢタイプＣのコネクタ仕様の２対の接地端子Ａ１、Ａ１２、Ｂ１、Ｂ１２及び２対の電力端子Ａ４、Ａ９、Ｂ４、Ｂ９と比較して、１対の補助電力端子Ａ３、Ｂ３が加えられている。
【００２８】
具体的には、上部列導電端子２１は、舌状部１２の両側にそれぞれ位置付けられる第１の接地端子Ａ１２及び第２の接地端子Ａ１と、２つの接地端子Ａ１２、Ａ１にそれぞれ隣接する第１の電力端子Ａ９及び第２の電力端子Ａ４と、補助電力端子Ａ３と、データを転送し、制御信号を提供するための４つの端子Ａ５、Ａ６、Ａ７、Ａ８とを備える。第１の電力端子Ａ９及び第１の接地端子Ａ１２は、舌状部１２の片側に電力端子及び接地端子群を形成し、第２の電力端子Ａ４及び第２の接地端子Ａ１もまた、舌状部１２のもう一方の片側に電力端子及び接地端子群を形成する。
【００２９】
本実施形態において、接地端子Ａ１、Ａ１２及び電力端子Ａ３、Ａ４、Ａ９の接続部分２７及びはんだ付け部分２８は、これらの端子のインピーダンスを低減させ、大電流伝達に有益であるように、広げられている（すなわち、これらの端子の接続部分２７及びはんだ付け部分２８は、各々が、それらの嵌合部分２６に対して広げられた幅を有する）。コネクタの電力供給仕様からの要件に基づいて、図示されないいくつかの実施形態では、第２の接地端子Ａ１及び第２の電力端子Ａ４のためのより大きく広がった空間を提供するために、補助電力端子Ａ３を省略することができることに留意されたい。
【００３０】
第１の接地端子Ａ１２及び第１の電力端子Ａ９側では、ＵＳＢタイプＣコネクタ仕様の２つの高速信号伝達端子Ａ１０、Ａ１１が取り除かれ、すなわち、第１の接地端子Ａ１２及び第１の電力端子Ａ９は、ＵＳＢタイプＣコネクタ仕様の４つの端子Ａ９〜Ａ１２の幅の空間を占有し、よって、第１の接地端子Ａ１２及び第１の電力端子Ａ９を部分的に広げることができる。
【００３１】
第２の接地端子Ａ１、第２の電力端子Ａ４、及び補助電力端子Ａ３側では、ＵＳＢタイプＣコネクタ仕様の２つの高速信号伝達端子Ａ２、Ａ３が取り除かれ、補助電力端子Ａ３が加えられ、すなわち、第２の接地端子Ａ１、第２の電力端子Ａ４、及び補助電力端子Ａ３は、ＵＳＢタイプＣコネクタ仕様の４つの端子Ａ１〜Ａ４の幅の場所を占有し、よって、第２の接地端子Ａ１、第２の電力端子Ａ４、及び補助電力端子Ａ３を部分的に広げることができる。新しく加えられた補助電力端子Ａ３は、高速充電を提供するために大電流伝達に有益であるように、電力回路の電流を促進することができる。
【００３２】
同様に、下部列導電端子２２は、第１の接地端子Ｂ１２と、第２の接地端子Ｂ１と、第１の電力端子Ｂ９と、第２の電力端子Ｂ４と、補助電力端子Ｂ３と、データを転送し、制御信号を提供するための４つの端子Ｂ５、Ｂ６、Ｂ７、Ｂ８とを備える。本実施形態において、接地端子Ｂ１２、Ｂ１及び電力端子Ｂ９、Ｂ４、Ｂ３の接続部分２７及びはんだ付け部分２８は、これらの端子のインピーダンスを低減させ、大電流伝達に有益であるように、広げられている（すなわち、これらの端子の接続部分２７及びはんだ付け部分２８は、各々が、それらの嵌合部分２６に対してより広い幅を有する）。コネクタ電力供給仕様の要件に基づいて、図示されないいくつかの実施形態では、第２の接地端子Ｂ１及び第２の電力端子Ｂ４のための大きく広がった空間を提供するために、補助電力端子Ｂ３を省略することができる。
【００３３】
第１の接地端子Ｂ１２及び第１の電力端子Ｂ９側では、ＵＳＢタイプＣコネクタ仕様の２つの高速信号伝達端子Ｂ１０、Ｂ１１が取り除かれ、すなわち、第１の接地端子Ｂ１２及び第１の電力端子Ｂ９は、ＵＳＢタイプＣコネクタ仕様の４つの端子Ｂ９〜Ｂ１２の幅の場所を占有し、よって、第１の接地端子Ｂ１２及び第１の電力端子Ｂ９を部分的に広げることができる。
【００３４】
第２の接地端子Ｂ１、第２の電力端子Ｂ４、及び補助電力端子Ｂ３側では、ＵＳＢタイプＣコネクタ仕様の２つの高速信号伝達端子Ｂ２、Ｂ３が取り除かれ、補助電力端子Ｂ３が加えられ、すなわち、第２の接地端子Ｂ１、第２の電力端子Ｂ４、及び補助電力端子Ｂ３は、ＵＳＢタイプＣコネクタ仕様の４つの端子Ｂ１〜Ｂ４の幅の場所を占有し、よって、第２の接地端子Ｂ１、第２の電力端子Ｂ４、及び補助電力端子Ｂ３を部分的に広げることができる。加えられた補助電力端子Ｂ３は、高速充電を提供するために大電流伝達に有益であるように、強電流を促進することができる。
【００３５】
図７及び図８を参照すると、２つの接地ラッチ３は、互いに対して独立し、かつ絶縁体１の両側にそれぞれ提供される。各接地ラッチ３は、舌状部１２の側面に露出されるラッチ部分３６と、筐体１１から後方へ延在する接地はんだ付け脚部３８と、ラッチ部分３６と接地はんだ付け脚部３８との間に接続される接続部分３７とを備える。接地はんだ付け脚部３８は、電気接地にはんだ付けすることができ、したがって、２つの接地ラッチ３は、２つの接地端子を加えることに相当し、これは、接地回路の通電能力を促進するために有益である。加えて、接地ラッチ３は、金属シートで作製され、これは、繰り返し使用した後に摩耗し難く、また、レセプタクルコネクタ１０の耐久性を高めることもできる。一般的に使用される金属遮蔽シートは、２つの別個の接地ラッチ３が中間電力端子Ａ３、Ａ４、Ａ９、Ｂ９、Ｂ４、Ｂ３のための空間を作るために有益であり、よって、電力端子Ａ３、Ａ４、Ａ９、Ｂ９、Ｂ４、Ｂ３の厚さを増加させるために有益であるように簡素化される。図示されないいくつかの実施形態において、レセプタクルコネクタ１０の２つの接地ラッチ３はまた、図１３に示される遮蔽シート８に類似する一体式ラッチフック部材として設計することもできることに留意されたい。また、いくつかの実施形態では、２つの接地ラッチ３のうちの１つを更に省略することができる。
【００３６】
各接地ラッチ３は、好ましくは、上部列導電端子２１の接地端子Ａ１２、Ａ１と、下部列導電端子２２の接地端子Ｂ１、Ｂ１２との間にそれぞれ間置され、かつ上下に積層され、互いに接触する。具体的には、図４の参照と組み合わせて、上部列導電端子２１の接地端子Ａ１２、Ａ１の嵌合部分２６及び接続部分２７、下部列導電端子２２の接地端子Ｂ１、Ｂ１２の嵌合部分２６及び接続部分２７、並びに接地ラッチ３の接続部分３７は、一般に、上下に積層され、互いに接触し、よって、導電端子２の厚さを舌状部１２の制限された厚さに対して最大に増加させることができ、そして、より小さいインピーダンスを得ることができ、これは、接地回路の電流伝達能力を促進することに有益であり、また、発生する熱に起因するコネクタの動作温度の上昇が低減される。本実施形態において、導電端子２の厚さは、０．２５ミリメートルとして選択され、接地ラッチ３の厚さは、０．２０ミリメートルとして選択され、これらの３つの部材がともに積層されたときに、総厚さは、舌状部１２の厚さ０．７０ミリメートルにちょうど等しくなり、これは、ＵＳＢタイプＣコネクタ仕様に対応する。
【００３７】
金属シェル４は、金属シートをスタンプし、曲げることによって形成される。金属シェル４は、絶縁体１の外周を覆い、舌状部１２の外部空間を包囲して嵌合空洞４９を形成し、よって、それに応じて、プラグコネクタ２０を嵌合空洞の中へ挿入することを可能にする。以前の上部列導電端子２１及び以前の下部列導電端子２２は、嵌合空洞４９の中で１８０度の回転対称として配設され、よって、プラグコネクタ２０の２通りの挿入配向をサポートすることができる。
【００３８】
図９〜図１３を参照すると、プラグコネクタ２０は、プラスチック本体５と、複数の導電端子６と、プラスチック部材アセンブリ７と、遮蔽シート８と、外側シェル９とを備える。プラスチック本体５は、射出成型によって一体的に形成される。プラスチック本体５は、前後方向に沿って貫通する受容空洞５９を有する。導電端子６、遮蔽シート８、及びプラスチック部材アセンブリ７からなるアセンブリは、受容空洞５９の中に装着される。外側シェル９は、金属シートをスタンプし、曲げることによって形成される。外側シェル９は、プラスチック本体５の外周を覆い、そこに固定される。プラグコネクタ２０は、レセプタクルコネクタ１０の舌状部１２と協働する挿入空洞９９を有する。
【００３９】
導電端子６は、金属シートをスタンプし、曲げることによって一体的に形成される。各導電端子６は、嵌合部分６６と、はんだ付け部分６８と、嵌合部分６６とはんだ付け部分６８との間に接続される接続部分６７とを備える。導電端子６は、上部列導電端子６１及び下部列導電端子６２に分割される。上部列導電端子６１及び下部列導電端子６２は、挿入空洞９９の外周に沿って１８０度の回転対称として配設され、よって、プラグコネクタ２０は、嵌合を実現するために、２通りの挿入配向でレセプタクルコネクタ１０の中へ挿入することができる。具体的には、上部列導電端子６１及び以前の下部列導電端子２１は、同じ配設であり、また、下部列導電端子６２及び以前の上部列導電端子２２は、同じ配設であり、よって、本明細書では詳細な説明が省略される。ＵＳＢタイプＣコネクタ仕様の２対の接地端子及び２対の電力端子と比較して、これらの導電端子６は、以前のレセプタクルコネクタ１０の補助電力端子Ａ３、Ｂ３に対応する、１対の補助電力端子Ａ３ａ、Ｂ３ａを加えることに留意されたい。
【００４０】
プラスチック部材アセンブリ７は、互いに協働する上部プラスチック部材７１と、下部プラスチック部材７２とを備える。上部プラスチック部材７１及び上部列導電端子６１は、インサート成形プロセスによってともに係合されて、上部端子モジュールを構成する。同様に、下部プラスチック部材７２及び下部列導電端子６２は、インサート成形プロセスによってともに係合されて、下部端子モジュールを構成する。
【００４１】
遮蔽シート８は、上部端子モジュールと下部端子モジュールとの間に間置される。実施形態において、遮蔽シート８は、上部プラスチック部材７１と下部プラスチック部材７２との間に間置される基部プレート８１と、基部プレート８１の前端部の両側から前方へそれぞれ延在する２つのラッチングフック８２と、基部プレート８１の後端部から後方へ延在する２つの接地はんだ付け脚部８３とを備える。それに応じて、２つの接地はんだ付け脚部８３を電気接地にはんだ付けすることができる。
【００４２】
再度図１を参照すると、プラグコネクタ２０及びレセプタクルコネクタ１０がともに係合されるときに、それに応じて、レセプタクルコネクタ１０の舌状部１２がプラグコネクタ２０の挿入空洞９９の中へ挿入され、この時点で、プラグコネクタ２０の上部列導電端子６１及びレセプタクルコネクタ１０の上部列導電端子２１が、１端子対１端子の対応関係で互いに嵌合され、ともに電気的に接続され、プラグコネクタ２０の下部列導電端子６２及びレセプタクルコネクタ１０の下部列導電端子２２が、１端子対１端子の対応関係で互いに嵌合され、ともに電気的に接続され、プラグコネクタ２０の２つのラッチングフック８２及びレセプタクルコネクタ１０の２つの接地ラッチ３が、１ラッチフック対１ラッチフックの対応関係で互いに嵌合され、ともに電気的に接続される。
【００４３】
従来技術と比較すると、本開示の電気コネクタアセンブリでは、上部列の中の接地端子Ａ１、Ａ１２及び下部列の中の接地端子Ｂ１、Ｂ１２、並びに中間の接地ラッチ３は、レセプタクルコネクタ１０において、上下に積層され、互いに接触し、このような設計は、単純でより容易に実現される積層構造を利用し、舌状部１２の制限された厚さに対する導電端子２の厚さを最大に増加させることができ、接地回路の大電流通電能力を有益に促進するためにより小さいインピーダンスを得ることができ、また、動作温度の上昇を低減させることができ、加えて、レセプタクルコネクタ１０及びプラグコネクタ２０は、各々が、１対の補助電力端子Ａ３、Ｂ３、Ａ３ａ、Ｂ３ａを加え、これらもまた、電力回路の大電流伝達能力を更に促進するために有益であり、したがって、耐久性があり安定した大電流伝達の適用環境により良好に適し得る。
【００４４】
上記の内容は、本開示の実施形態に過ぎず、本開示を実施する解決策を限定するために使用されるものではない。当業者は、本開示の主要な概念及び趣旨に基づいて、好都合に変更又は修正することができ、したがって、本開示の保護の範囲は、特許請求の範囲の用語によって決定されるものとする。
【図１】
2018026345.tif 000004
【図２】
2018026345.tif 000005
【図３】
2018026345.tif 000006
【図４】
2018026345.tif 000007
【図５】
2018026345.tif 000008
【図６】
2018026345.tif 000009
【図７】
2018026345.tif 000010
【図８】
2018026345.tif 000011
【図９】
2018026345.tif 000012
【図１０】
2018026345.tif 000013
【図１１】
2018026345.tif 000014
【図１２】
2018026345.tif 000015
【図１３】
2018026345.tif 000016